(57)【要約】【課題】異物が逃し弁に流入することを確実に抑制できる貯湯式給湯機を提供する。【解決手段】貯湯式給湯機３５は、水を加熱する熱源機（ＨＰユニット７）と、貯湯タンク８を有するタンクユニット３３と、熱源機の入口とタンクユニット３３との間を接続する入水配管１４と、熱源機の出口とタンクユニット３３との間を接続する出湯配管１５とを備える。タンクユニット３３は、流路切替手段（三方弁１１及び四方弁１８）を備える。流路切替手段は、貯湯タンク８から出た水が入水配管１４及び出湯配管１５を通らずに貯湯タンク８に流入する第一流路と、貯湯タンク８から出た水が入水配管１４及び出湯配管１５を通って貯湯タンク８に流入する第二流路とを形成可能である。貯湯式給湯機３５の施工後に貯湯タンク８内に水を満たす注水操作を行うときに、流路切替手段が第一流路を形成する。【選択図】図２
2020112287.tif 000002
【特許請求の範囲】
【請求項１】
水を加熱する熱源機と、
前記熱源機により加熱された湯を貯留可能な貯湯タンクを有するタンクユニットと、
前記熱源機の入口と前記タンクユニットとの間を接続する入水配管と、
前記熱源機の出口と前記タンクユニットとの間を接続する出湯配管と、
を備える貯湯式給湯機において、
前記タンクユニットは、流路切替手段を備え、
前記流路切替手段は、前記貯湯タンクから出た水が前記入水配管及び前記出湯配管を通らずに前記貯湯タンクに流入する第一流路と、前記貯湯タンクから出た水が前記入水配管及び前記出湯配管を通って前記貯湯タンクに流入する第二流路とを形成可能であり、
前記貯湯式給湯機の施工後に前記貯湯タンク内に水を満たす注水操作を行うときに、前記流路切替手段が前記第一流路を形成する貯湯式給湯機。
【請求項２】
前記貯湯タンクに接続された配管に水を循環させる循環ポンプを備え、
前記第一流路は、前記循環ポンプを通過する流路である請求項１に記載の貯湯式給湯機。
【請求項３】
前記貯湯タンクに接続された配管に水を循環させる循環ポンプと、
前記注水操作を行った後に異物除去運転を実行可能な制御手段と、
を備え、
前記異物除去運転において、前記制御手段は、前記流路切替手段が前記第二流路を形成する状態にして前記循環ポンプを駆動することにより、前記入水配管及び前記出湯配管に水を流れさせる請求項１または請求項２に記載の貯湯式給湯機。
【請求項４】
前記制御手段は、前記貯湯式給湯機に通電されてから一定の時間が経過すると、前記第二流路が形成されるように前記流路切替手段を切り替える請求項３に記載の貯湯式給湯機。
【請求項５】
前記異物除去運転は、前記入水配管及び前記出湯配管の内部の空気を前記貯湯タンク内の上部に送るエア抜き運転を兼ねる請求項３または請求項４に記載の貯湯式給湯機。
【請求項６】
前記制御手段は、前記入水配管及び前記出湯配管の長さが施工制約内での最大の長さであるときでも前記入水配管及び前記出湯配管の内部の空気の除去が完了するように前記異物除去運転における前記循環ポンプの駆動時間を制御する請求項３から請求項５のいずれか一項に記載の貯湯式給湯機。
【請求項７】
前記タンクユニットは、
前記流路切替手段としての第一多方弁及び第二多方弁と、
前記貯湯タンクに接続された配管に水を循環させる循環ポンプと、
前記貯湯タンクの上部に連通するタンク上部配管と、
前記貯湯タンクの中間高さ部または下部に連通する第１バイパス配管と、
前記循環ポンプの出口に連通する第２バイパス配管と、
一次側流路を流れる熱源水と二次側流路を流れる加熱対象水との間で熱を交換する熱交換器と、
前記貯湯タンクの下部に連通する水導出口配管と、
前記熱交換器の前記一次側流路の出口に連通する熱源水出口配管と、
前記循環ポンプの入口に連通する入口配管と、
を備え、
前記第一多方弁は、前記水導出口配管と、前記熱源水出口配管と、前記入口配管とに接続されており、
前記第二多方弁は、前記出湯配管と、前記タンク上部配管と、前記第１バイパス配管と、前記第２バイパス配管とに接続されている請求項１から請求項６のいずれか一項に記載の貯湯式給湯機。
【請求項８】
前記第一流路は、前記貯湯タンクの下部から水が流出し、その水が前記貯湯タンクの上部に流入する流路である請求項１から請求項７のいずれか一項に記載の貯湯式給湯機。
【請求項９】
前記第二流路は、前記貯湯タンクの上部から水が流出し、その水が前記貯湯タンクの中間高さ部または下部に流入する流路である請求項１から請求項８のいずれか一項に記載の貯湯式給湯機。
【発明の詳細な説明】
【技術分野】
【０００１】
本発明は、貯湯式給湯機に関する。
【背景技術】
【０００２】
下記特許文献１に開示された従来の貯湯式給湯機では、施工後、貯湯タンク内を水で満たす操作のときに、貯湯タンク内が満水になって溢れた水は、逃がし弁から外部に流出する。その後、循環ポンプを運転し、配管内の空気を抜くエア抜き運転を行う。
【先行技術文献】
【特許文献】
【０００３】
【特許文献１】特開２０１８−０９１５１３号公報
【発明の概要】
【発明が解決しようとする課題】
【０００４】
貯湯式給湯機の施工時に、貯湯タンクと熱源機との間を接続する配管内に異物が混入する可能性がある。特許文献１の貯湯式給湯機では、貯湯タンクが満水になった後に逃し弁から排水するとき、あるいはエア抜き運転を実施したときに、上記異物が逃し弁のシール部に流れて、逃し弁の異物噛みあるいはシール不良が発生するという課題がある。
【０００５】
本発明は、上述のような課題を解決するためになされたもので、異物が逃し弁に流入することを確実に抑制できる貯湯式給湯機を提供することを目的とする。
【課題を解決するための手段】
【０００６】
本発明に係る貯湯式給湯機は、水を加熱する熱源機と、熱源機により加熱された湯を貯留可能な貯湯タンクを有するタンクユニットと、熱源機の入口とタンクユニットとの間を接続する入水配管と、熱源機の出口とタンクユニットとの間を接続する出湯配管と、を備える貯湯式給湯機において、タンクユニットは、流路切替手段を備え、流路切替手段は、貯湯タンクから出た水が入水配管及び出湯配管を通らずに貯湯タンクに流入する第一流路と、貯湯タンクから出た水が入水配管及び出湯配管を通って貯湯タンクに流入する第二流路とを形成可能であり、貯湯式給湯機の施工後に貯湯タンク内に水を満たす注水操作を行うときに、流路切替手段が第一流路を形成するものである。
【発明の効果】
【０００７】
本発明によれば、異物が逃し弁に流入することを確実に抑制できる貯湯式給湯機を提供することが可能となる。
【図面の簡単な説明】
【０００８】
【図１】実施の形態１による貯湯式給湯機を示す構成図である。
【図２】実施の形態１による貯湯式給湯機における第一流路の構成図である。
【図３】実施の形態１による貯湯式給湯機における異物除去運転のときの循環流路である第二流路の構成図である。
【図４】異物除去運転のときに制御装置によって実行されるフローチャートを示す図である。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による貯湯式給湯機を示す構成図である。図１に示すように、貯湯式給湯機３５は、タンクユニット３３、ＨＰ（ヒートポンプ）ユニット７、及びリモコン装置４４を備える。ＨＰユニット７とタンクユニット３３との間は、入水配管１４と出湯配管１５と図示しない電気配線とを介して接続されている。タンクユニット３３には、制御装置３６が内蔵されている。タンクユニット３３及びＨＰユニット７が備える各種弁類、ポンプ類等の作動は、これらと電気的に接続された制御装置３６により制御される。
【００１１】
リモコン装置４４は、運転動作指令及び設定値の変更などに関する使用者の操作を受け付ける機能を有する。リモコン装置４４は、ユーザーインターフェースの例である。制御装置３６とリモコン装置４４の間は、有線または無線により、双方向にデータ通信可能に接続されている。リモコン装置４４には、図示を省略するが、貯湯式給湯機３５の状態等の情報を表示する表示部、使用者が操作するスイッチ等の操作部、スピーカ、マイク等が搭載されている。リモコン装置４４の表示部は、使用者に情報を報知する報知手段としての機能を有する。本実施の形態におけるリモコン装置４４は、表示部を報知手段として備えるが、変形例として、例えば音声案内装置のような他の報知手段を備えてもよい。
【００１２】
本実施の形態において、リモコン装置４４は、例えば台所、リビング、浴室などの壁に設置されたものでもよい。複数のリモコン装置４４が制御装置３６に対して通信可能でもよい。また、例えばスマートフォンのような携帯端末がリモコン装置４４のようなユーザーインターフェースとしての機能を有するように構成してもよい。当該携帯端末と制御装置３６とが、ネットワークを介して通信してもよい。
【００１３】
ＨＰユニット７は、水を加熱する熱源機に相当する。ＨＰユニット７は、圧縮機１、水冷媒熱交換器３、膨張弁４、空気熱交換器６を冷媒配管５にて環状に接続した冷媒回路を備える。ＨＰユニット７は、この冷媒回路によりヒートポンプサイクルの運転を行う。水冷媒熱交換器３では、圧縮機１で圧縮された冷媒と、タンクユニット３３から導かれた水との間で熱を交換することで、水が加熱される。
【００１４】
タンクユニット３３には、以下の各種部品及び配管などが内蔵されている。貯湯タンク８は、湯水を貯留する。貯湯タンク８の内部では、温度による水の密度の差によって、上側が高温で下側が低温になる温度成層を形成することができる。
【００１５】
タンクユニット３３には、以下の各種部品及び配管などが内蔵されている。貯湯タンク８は、湯水を貯留するためのものである。温度による水の密度の違いにより、貯湯タンク８内には、上側が高温で下側が低温の温度成層が形成される。貯湯タンク８の下部に設けられた水導入口８ａには、第３給水配管９ｃが接続されている。水道等の水源から供給される水は、減圧弁３１で所定圧力に調圧された上で、第３給水配管９ｃを通って貯湯タンク８内に流入する。貯湯タンク８の上部に設けられた温水導入出口８ｄに接続された配管は、分岐部４１にて、タンク上部配管１３と給湯配管２１とに分かれる。給湯配管２１は、貯湯タンク８内に貯留された湯を貯湯式給湯機３５の外部へ供給するため配管である。沸上運転のときには、ＨＰユニット７を用いて加熱された高温湯がタンク上部配管１３を通って温水導入出口８ｄから貯湯タンク８内に流入することにより、貯湯タンク８内で上から下に向かって徐々に高温湯が蓄積されていく。貯湯タンク８の表面には、複数の貯湯温度センサ４２，４３が高さを変えて取り付けられている。制御装置３６は、これらの貯湯温度センサ４２，４３で貯湯タンク８内の湯水の温度分布を検出することにより、貯湯タンク８内の残湯量及び蓄熱量を検出できる。制御装置３６は、検出された貯湯タンク８内の残湯量または蓄熱量に応じて、沸上運転の開始及び停止などを制御する。図示の例では、２個の貯湯温度センサ４２，４３を設けているが、さらに多くの貯湯温度センサを設けてもよい。本実施の形態であれば、タンク上部配管１３と給湯配管２１との双方が一つの温水導入出口８ｄに連通することにより、貯湯タンク８に形成するポートの数を少なくすることができる。
【００１６】
タンクユニット３３内には、三方弁１１、循環ポンプ１２、四方弁１８及び風呂用熱交換器２０が備えられている。循環ポンプ１２は、各種配管に湯水を循環させるためのポンプである。入水配管１４は、循環ポンプ１２の出口と、ＨＰユニット７の入口との間を接続する。循環ポンプ１２の入口には入口配管１９が接続されている。
【００１７】
風呂用熱交換器２０は、一次側流路を流れる熱源水と二次側流路を流れる加熱対象水との間で熱を交換することにより加熱対象水を加熱するための熱交換器である。本実施の形態では、浴槽３０から循環する浴槽水を加熱対象水とする風呂用熱交換器２０が備えられている例を説明するが、風呂用熱交換器２０に代えて、例えば暖房用水を加熱対象水とする熱交換器が備えられていてもよい。貯湯タンク８またはＨＰユニット７からの高温湯を熱源水として風呂用熱交換器２０へ供給することができる。
【００１８】
風呂往き配管２７は、風呂用熱交換器２０の二次側流路の出口と、浴槽３０との間を接続する。風呂戻り配管２８は、浴槽３０と、風呂用熱交換器２０の二次側流路の入口との間を接続する。風呂戻り配管２８の途中には、浴槽水を循環させるための風呂循環ポンプ２９と、浴槽３０から出た浴槽水の温度を検出するための風呂戻り温度センサ３８とが設置されている。風呂往き配管２７の途中には、風呂用熱交換器２０から出た浴槽水の温度を検出するための風呂往き温度センサ３７が設置されている。
【００１９】
三方弁１１は、湯水が流入するａポート及びｂポートと、湯水が流出するｃポートとを有する流路切替手段である。三方弁１１は、第一多方弁に相当する。四方弁１８は、湯水が流入するｂポート及びｃポートと、湯水が流出するａポート及びｄポートとを有する流路切替手段であり、ａ−ｂ、ａ−ｃ、ｂ−ｄ、ｃ−ｄの４つの経路の間で流路切替可能に構成されている。四方弁１８は、第二多方弁に相当する。また、タンクユニット３３は、水導出口配管１０、熱源水入口配管２０ａ、第１バイパス配管１６、熱源水出口配管２０ｂ、及び第２バイパス配管１７を有している。水導出口配管１０は、貯湯タンク８の下部に設けられた水導出口８ｂと、三方弁１１のａポートとの間を接続する。入口配管１９は、三方弁１１のｃポートと、循環ポンプ１２の入口との間を接続する。出湯配管１５は、ＨＰユニット７の出口と、四方弁１８のｃポートとの間を接続する。タンク上部配管１３は、四方弁１８のｄポートと、分岐部４１との間を接続する。第１バイパス配管１６は、四方弁１８のａポートと、貯湯タンク８の中間高さ部または下部に設けられた温水導入口８ｃとの間を接続する。熱源水入口配管２０ａは、タンク上部配管１３の途中に設けられた分岐部４０と、風呂用熱交換器２０の一次側流路の入口との間を接続する。熱源水出口配管２０ｂは、風呂用熱交換器２０の一次側流路の出口と、三方弁１１のｂポートとの間を接続する。第２バイパス配管１７は、入水配管１４の途中に設けられた分岐部３２と、四方弁１８のｂポートとの間を接続する。分岐部３２は、タンクユニット３３内にある。第２バイパス配管１７は、分岐部３２と、入水配管１４の一部とを介して、循環ポンプ１２の出口に連通している。本実施の形態であれば、熱源水入口配管２０ａが分岐部４０からタンク上部配管１３を介して温水導入出口８ｄに連通する。このため、熱源水入口配管２０ａを貯湯タンク８の上部に直接接続する必要がないので、貯湯タンク８の上部に形成するポートの数を少なくすることができる。
【００２０】
さらに、タンクユニット３３は、第１給水配管９ａ、第２給水配管９ｂ、給湯用混合弁２２、風呂用混合弁２３、第１給湯配管２４、及び第２給湯配管２５を有している。第１給水配管９ａの一端は水道等の水源に接続され、第１給水配管９ａの他端には減圧弁３１を介して第２給水配管９ｂ及び第３給水配管９ｃが接続されている。第２給水配管９ｂは、途中から分岐してそれぞれ給湯用混合弁２２と風呂用混合弁２３とに接続されている。また、給湯配管２１は、途中から分岐してそれぞれ給湯用混合弁２２及び風呂用混合弁２３に接続されている。第２給湯配管２５の途中には、第２給湯配管２５を開閉する風呂用電磁弁２６と、第２給湯配管２５を通る湯の流量を検出する風呂用流量センサ４５とが設けられている。
【００２１】
給湯用混合弁２２及び風呂用混合弁２３は、給湯配管２１から供給される高温湯と、第２給水配管９ｂから供給される低温水との流量比を調整することにより、使用者がリモコン装置４４にて設定した設定温度の湯を生成し、第１給湯配管２４及び第２給湯配管２５にそれぞれ流入させる。給湯用混合弁２２で温度調整された湯は、第１給湯配管２４から給湯栓３４を経由して、使用者が使用するシャワー及びカラン等の蛇口（図示しない）に供給される。一方、風呂用混合弁２３で設定温度に調整された湯は、第２給湯配管２５から風呂用流量センサ４５、風呂用電磁弁２６、風呂往き配管２７、風呂戻り配管２８を経て浴槽３０に供給される。
【００２２】
三方弁１１は、水導出口配管１０と入口配管１９とが連通する形態と、熱源水出口配管２０ｂと入口配管１９とが連通する形態と、水導出口配管１０と入口配管１９と熱源水出口配管２０ｂとの３方向が連通する形態との３つの流路形態に切り替え可能である。四方弁１８は、出湯配管１５とタンク上部配管１３とが連通する形態と、出湯配管１５と第１バイパス配管１６とが連通する形態と、第１バイパス配管１６と第２バイパス配管１７とが連通する形態と、タンク上部配管１３と第２バイパス配管１７とが連通する形態との４つの流路形態に切り替え可能である。
【００２３】
貯湯タンク８の上部の温水導入出口８ｄと、分岐部４１との間の配管に逃し弁３９が接続されている。逃し弁３９は、貯湯タンク８内の圧力が閾値を超えると開弁する。沸上運転のときには、水の体積膨張による膨張水と、溶存空気がガス化したガスとが発生することにより、貯湯タンク８内の圧力が上昇する。沸上運転において、貯湯タンク８内の圧力が上記閾値を超えると、逃し弁３９が開き、上記の膨張水及びガスが逃し弁３９から系外へ排出される。これにより、貯湯タンク８内の圧力が過度に上昇することが防止される。
【００２４】
貯湯式給湯機３５が施工された後には、貯湯タンク８内に水を満たす注水操作が行われる。注水操作のときには、逃し弁３９を手動で開放した状態にする。本実施の形態では、注水操作を行うときに、入水配管１４及び出湯配管１５に水が流れない流路となる第一流路を、流路切替手段である三方弁１１及び四方弁１８により形成可能である。
【００２５】
図２は、実施の形態１による貯湯式給湯機３５における第一流路の構成図である。図２中の矢印は、注水操作のときの水の流れを示す。注水操作のときには、以下のようになる。三方弁１１は、水導出口配管１０と入口配管１９と熱源水出口配管２０ｂとの３方向が連通する形態となる。四方弁１８は、タンク上部配管１３が第２バイパス配管１７に連通し、出湯配管１５及び第１バイパス配管１６が遮断される形態となる。水源から供給される水は、第１給水配管９ａを通過した後、減圧弁３１及び第３給水配管９ｃを通り、水導入口８ａから貯湯タンク８内に流入する。貯湯タンク８内に水が溜まり始めると、貯湯タンク８内の水は、水導出口８ｂから水導出口配管１０を通って三方弁１１に流入する。三方弁１１に流入した水は、入口配管１９を通過して循環ポンプ１２に流入する流路と、熱源水出口配管２０ｂを通過して風呂用熱交換器２０に流入する流路とに分かれて流れる。その後、循環ポンプ１２を通過した水は、貯湯タンク８内の水位上昇に伴って、分岐部３２、第２バイパス配管１７、四方弁１８、及びタンク上部配管１３を通過し、貯湯タンク８の上部の温水導入出口８ｄに到達する。一方、熱源水出口配管２０ｂへ流れた水は、風呂用熱交換器２０及び熱源水入口配管２０ａを通過し、分岐部４０にてタンク上部配管１３に合流する。以上のような流路が第一流路に相当する。貯湯タンク８内が満水になると、溢れた水は、逃し弁３９から外部へ排出される。貯湯タンク８内が満水になった後、逃し弁３９を手動で閉じることで、注水操作を終了する。
【００２６】
貯湯式給湯機３５の施工時には、入水配管１４及び出湯配管１５を屋外でＨＰユニット７及びタンクユニット３３に接続する作業が行われるので、入水配管１４及び出湯配管１５の内部に異物が混入する可能性がある。ここで、注水操作において入水配管１４及び出湯配管１５の内部に水が流れると仮定すると、以下のようになる。入水配管１４及び出湯配管１５の内部の異物が水によって押し流されて、四方弁１８及びタンク上部配管１３を通過し、逃し弁３９のシール部分に到達する可能性がある。その結果、逃し弁３９を閉じたとき、あるいはエア抜き運転もしくは試運転の沸上運転中に逃し弁３９が開閉したときに、逃し弁３９の異物噛みまたはシール不良のような、逃し弁３９の動作不良が発生する可能性がある。
【００２７】
これとは対照的に、本実施の形態であれば、入水配管１４及び出湯配管１５に水が流れない第一流路によって注水操作を行うことができる。このため、入水配管１４及び出湯配管１５の内部の異物が逃し弁３９へ流れることを確実に防止できる。よって、異物の流入による逃し弁３９の動作不良が発生することを確実に防止できる。
【００２８】
注水操作は、貯湯式給湯機３５の施工後、貯湯式給湯機３５に通電する前に実施される。施工後、最初に貯湯式給湯機３５に通電する前の状態において、三方弁１１及び四方弁１８は、図２で説明した形態になっている。本実施の形態では、注水操作のときに循環ポンプ１２を運転する必要がないので、貯湯式給湯機３５に通電しない状態で注水操作を実行可能である。注水操作が終了し、貯湯式給湯機３５への通電が開始された後、制御装置３６は、異物除去運転を実行可能である。異物除去運転は、入水配管１４及び出湯配管１５の内部に水が流れるように循環ポンプ１２を運転し、入水配管１４及び出湯配管１５の内部の異物を除去する運転である。
【００２９】
本実施の形態における第一流路は、循環ポンプ１２を通過する流路である。このため、注水操作が終了すると、循環ポンプ１２の内部は水で満たされている。よって、異物除去運転を実施する際に、循環ポンプ１２の内部に水がない状態での空運転による水の循環不良が発生することを確実に防止することができる。また、本実施の形態における第一流路は、貯湯タンク８の下部の水導出口８ｂから水が流出し、その水が第一流路を形成する配管を通って、貯湯タンク８の上部の温水導入出口８ｄから貯湯タンク８に流入する流路となる。これにより、以下の効果が得られる。注水操作のときに、貯湯タンク８が満水になるよりも前の状態においても、貯湯タンク８内に溜まった水の水頭圧によって、第一流路を形成する配管の内部に水を確実に送ることができる。このため、循環ポンプ１２を動作させることなく、第一流路を形成する配管の内部に水を確実に満たすことができる。
【００３０】
注水操作を行った後、貯湯式給湯機３５に通電せずに貯湯タンク８内を排水する場合がある。例えば、注水操作を行った後、貯湯式給湯機３５に接続された配管の接続部の水漏れ確認などを行った後に、貯湯タンク８内を排水する場合がある。本実施の形態であれば、そのような場合に、貯湯式給湯機３５の内部の配管内に水が残らない流路になっている。このため、配管内に水が残留しないように排水することができるので、外気温が氷点下になった場合でも、配管あるいは部品が凍結破損することを確実に防止できる。貯湯タンク８内を排水する場合には、貯湯タンク８の下部に連通する排水弁（図示省略）を開く。排水弁を開くと、貯湯タンク８内の水及びタンクユニット３３内の配管内の水は、重力により、排水弁から外部へ排出される。注水操作を行った後でも、貯湯式給湯機３５に通電する前には入水配管１４及び出湯配管１５の内部に水は入っていないので、入水配管１４及び出湯配管１５の内部に水が残留することはない。
【００３１】
図３は、実施の形態１による貯湯式給湯機３５における異物除去運転のときの循環流路である第二流路の構成図である。図３中の矢印は、異物除去運転のときの水の流れを示す。図４は、異物除去運転のときに制御装置３６によって実行されるフローチャートを示す図である。前述したように、貯湯式給湯機３５に通電する前は、貯湯タンク８が満水に達しても入水配管１４及び出湯配管１５には通水されない流路となっている。貯湯式給湯機３５への通電を開始した後、制御装置３６は、入水配管１４及び出湯配管１５の内部に残留している異物を押し流すための異物除去運転を実施する。
【００３２】
制御装置３６は、異物除去運転の処理を開始すると、まず、図４のステップＳ１において、三方弁１１及び四方弁１８の切り替えを行い、第一流路から第二流路に変更する。すなわち、制御装置３６は、三方弁１１を、熱源水出口配管２０ｂと入口配管１９とが連通して水導出口配管１０が遮断される形態とし、四方弁１８を、出湯配管１５と第１バイパス配管１６とが連通してタンク上部配管１３及び第２バイパス配管１７が遮断される形態とする。次いで、制御装置３６は、ステップＳ２として、循環ポンプ１２を駆動する。これにより、図３に示す第二流路に水が循環する。すなわち、貯湯タンク８内の上部の水が温水導入出口８ｄから流出し、その水が、タンク上部配管１３、分岐部４０、熱源水入口配管２０ａ、風呂用熱交換器２０、熱源水出口配管２０ｂ、三方弁１１、入口配管１９、循環ポンプ１２、入水配管１４、ＨＰユニット７、出湯配管１５、四方弁１８、及び第１バイパス配管１６を順次通過して、温水導入口８ｃから貯湯タンク８内に流入する。
【００３３】
異物除去運転のときに上記のようにして第二流路に水が循環すると、入水配管１４及び出湯配管１５の内部に残留していた異物は、水に押し流されて、温水導入口８ｃから貯湯タンク８内に流入し、貯湯タンク８内の下部へ沈降する。このようにして、入水配管１４及び出湯配管１５の内部の異物を除去することができる。このため、その後の沸上運転などにおいて、当該異物が逃し弁３９のシール部分に到達することがなく、逃し弁３９の異物噛みあるいはシール不良などが発生することを確実に防止できる。また、本実施の形態における第二流路は、貯湯タンク８の上部の温水導入出口８ｄから水が流出し、その水が貯湯タンク８の中間高さ部または下部の温水導入口８ｃから貯湯タンク８内に流入する流路となる。これにより、異物除去運転のときに入水配管１４及び出湯配管１５の内部の異物を押し流した水が貯湯タンク８の上部に流れることがないので、当該異物が逃し弁３９のシール部分に到達することをより確実に防止できる。
【００３４】
本実施の形態における異物除去運転は、入水配管１４及び出湯配管１５の内部の空気を貯湯タンク８内の上部に送るエア抜き運転を兼ねている。すなわち、異物除去運転では、入水配管１４及び出湯配管１５の内部の空気が、四方弁１８及び第１バイパス配管１６を通って温水導入口８ｃから貯湯タンク８内に流入し、貯湯タンク８内の上部へ浮上する。貯湯タンク８内の上部に溜まった空気は、例えば給湯栓３４を開くことで、外部へ排出することができる。また、本実施の形態における第二流路は、風呂用熱交換器２０の一次側流路を通るので、異物除去運転によって風呂用熱交換器２０の一次側流路内の空気を確実に除去することができる。
【００３５】
入水配管１４及び出湯配管１５の長さは、貯湯式給湯機３５が設置される場所によって異なる。異物除去運転において、入水配管１４及び出湯配管１５の内部の空気及び異物を除去して貯湯タンク８内へ送るために必要な循環ポンプ１２の駆動時間は、入水配管１４及び出湯配管１５が長いほど、長くなる。入水配管１４及び出湯配管１５の長さには、所定の施工制約が定められている。制御装置３６は、入水配管１４及び出湯配管１５の長さが施工制約内での最大の長さであるときでも入水配管１４及び出湯配管１５の内部の空気及び異物の除去が完了するように異物除去運転における循環ポンプ１２の駆動時間を制御する。例えば、入水配管１４及び出湯配管１５の各々の長さが最大で１５ｍまでという施工制約が定められている場合には、入水配管１４及び出湯配管１５の各々の長さが１５ｍであるとしたときに入水配管１４及び出湯配管１５の内部の空気及び異物の除去が完了するように、制御装置３６は、異物除去運転における循環ポンプ１２の駆動時間を例えば１０分間とする。
【００３６】
ステップＳ２で循環ポンプ１２の駆動を開始した後、上記のような所定の駆動時間が経過すると、制御装置３６は、循環ポンプ１２を停止する（ステップＳ３）。その後、制御装置３６は、三方弁１１及び四方弁１８の開度をそれぞれ所定の待機開度に変更する（ステップＳ４）。これにより、異物除去運転の処理が終了する。
【００３７】
制御装置３６は、貯湯式給湯機３５に通電されてから一定の時間（例えば１分間）が経過すると、異物除去運転を実行するときの流路すなわち第二流路となるように三方弁１１及び四方弁１８を自動で切り替えてもよい。その後、制御装置３６は、循環ポンプ１２を駆動し、異物除去運転を自動で実施してもよい。そのようにすることで、貯湯式給湯機３５の施工後に異物除去運転を確実に実施することが可能となる。
【符号の説明】
【００３８】
１  圧縮機、  ３  水冷媒熱交換器、  ４  膨張弁、  ５  冷媒配管、  ６  空気熱交換器、  ７  ＨＰユニット、  ８  貯湯タンク、  ８ａ  水導入口、  ８ｂ  水導出口、  ８ｃ  温水導入口、  ８ｄ  温水導入出口、  ９ａ  第１給水配管、  ９ｂ  第２給水配管、  ９ｃ  第３給水配管、  １０  水導出口配管、  １１  三方弁、  １２  循環ポンプ、  １３  タンク上部配管、  １４  入水配管、  １５  出湯配管、  １６  第１バイパス配管、  １７  第２バイパス配管、  １８  四方弁、  １９  入口配管、  ２０  風呂用熱交換器、  ２０ａ  熱源水入口配管、  ２０ｂ  熱源水出口配管、  ２１  給湯配管、  ２２  給湯用混合弁、  ２３  風呂用混合弁、  ２４  第１給湯配管、  ２５  第２給湯配管、  ２６  風呂用電磁弁、  ２７  風呂往き配管、  ２８  風呂戻り配管、  ２９  風呂循環ポンプ、  ３０  浴槽、  ３１  減圧弁、  ３２  分岐部、  ３３  タンクユニット、  ３４  給湯栓、  ３５  貯湯式給湯機、  ３６  制御装置、  ３７  風呂往き温度センサ、  ３８  風呂戻り温度センサ、  ３９  逃し弁、  ４０  分岐部、  ４１  分岐部、  ４２，４３  貯湯温度センサ、  ４４  リモコン装置、  ４５  風呂用流量センサ
【図１】
2020112287.tif 000003
【図２】
2020112287.tif 000004
【図３】
2020112287.tif 000005
【図４】
2020112287.tif 000006